(57)【要約】【課題】  グループ通話に参加していない端末に対して、グループ通話の参加を促進することができる状態表示装置を提供する。【解決手段】  構内無線システムにおける各端末の状態を表示する状態表示装置であり、構内無線システムの構内交換機から各端末の呼制御信号を取得する取得部６と、取得部が取得した呼制御信号に基づいて各端末がグループ通話に参加しているか参加していないかの状態表示をするための信号を生成する生成部１９と、グループ通話に参加していない端末に対する指示信号を外部から受けてグループ通話に参加していない端末に対してグループ通話への参加を促す信号を生成して発信する発信部５，１２をもつ状態表示装置。【選択図】図１
2011139212.tif 000002
【特許請求の範囲】
【請求項１】
構内無線システムにおける各端末の状態を表示する状態表示装置であって、
前記構内無線システムの構内交換機から前記各端末の呼制御信号を取得する取得部と、
前記取得部が取得した呼制御信号に基づいて、前記各端末がグループ通話に参加しているか参加していないかの状態表示をするための信号を生成する生成部と、
前記グループ通話に参加していない端末に対する指示信号を外部から受けて、前記グループ通話に参加していない端末に対して前記グループ通話への参加を促す信号を生成して発信する発信部と、を具備することを特徴とする状態表示装置。
【発明の詳細な説明】
【技術分野】
【０００１】
この発明は、ＰＨＳ（Personal Handy-Phone System）等の無線通信端末のための状態表示装置に関するもので、特に、グループ通話の参加促進処理に関する。
【背景技術】
【０００２】
従来から、通信システムのネットワーク内の信号状況をモニタリングする装置が知られており、利用されてきている。すなわち、通信システムのネットワーク内の各端末が現在どのような状態で他の端末と通信を行っているかをモニタしたいという要望があり、これに応じる表示装置が多く知られている。
【０００３】
特許文献１は、携帯機から異常通報が行われた際に、端末器の位置を地図上に表示する状態表示装置を開示している。また、登録された携帯機等に対してグループ通話（会議通話）を設定する処理を行う回線制御機能をもった構内交換機が開示されている。
【先行技術文献】
【特許文献】
【０００４】
【特許文献１】特開２００２−０７４５６４号公報
【発明の概要】
【発明が解決しようとする課題】
【０００５】
しかし、特許文献１は、グループ通話時にグループ登録された端末の位置と状態を地図画面上で把握することはできない。また、状態表示装置の地図画面上から特定端末にグループ通話参加を促す通知を行なうことも示されていない。
本発明は、グループ通話に参加していない端末に対してグループ通話の参加を促進することができる状態表示装置を提供することを目的とする。
【課題を解決するための手段】
【０００６】
課題を解決する一実施形態は、
構内無線システムにおける各端末の状態を表示する状態表示装置であって、
前記構内無線システムの構内交換機から前記各端末の呼制御信号を取得する取得部（６）と、
前記取得部が取得した呼制御信号に基づいて、前記各端末がグループ通話に参加しているか参加していないかの状態表示をするための信号を生成する生成部（１９）と、
前記グループ通話に参加していない端末に対する指示信号を外部から受けて、前記グループ通話に参加していない端末に対して前記グループ通話への参加を促す信号を生成して発信する発信部（５，１２）と、を具備することを特徴とする状態表示装置である。
【発明の効果】
【０００７】
状態表示装置の画面上で、複数の各端末がグループ通話に参加しているか否かを認識でき、グループ通話に参加していない画面上の端末に対して操作することで、その端末に対してグループ通話への参加を促すことができる。
【図面の簡単な説明】
【０００８】
【図１】本発明の一実施形態に係る無線通信システムの一例を示すブロック図。
【図２】同じく状態表示装置の構成の一例を示すブロック図。
【図３】同じく状態表示装置のソフトウェア構成の一例を示すブロック図。
【図４】同じく状態表示装置の、開催型グループ管理テーブルに基づく開催型グループ一覧画面の一例を示す説明図。
【図５】同じく、参加型グループ管理テーブルに基づく参加型グループ一覧画面の一例を示す説明図。
【図６】同じく、地図ファイルに基づく地図画面の一例を示す説明図。
【図７】同じく、開催型グループ会議の地図表示の一例を示すフローチャート。
【図８】同じく、参加型グループ会議の地図表示の一例を示すフローチャート。
【図９】同じく、グループ会議不参加者への会議を促すために通知するためのダイヤル自動発信プログラムのフローチャート。
【発明を実施するための形態】
【０００９】
以下、この発明の実施の形態について図面を参照して詳細に説明する。  
図１は、本発明の一実施形態に係る無線通信システムの一例を示すブロック図、図２は、同じく状態表示装置の構成の一例を示すブロック図、図３は、同じく状態表示装置のソフトウェア構成の一例を示すブロック図である。本発明に係る状態表示装置１は、図１に示すように、構内交換機２に接続されるものである。
【００１０】
（構内交換機）
ここで、構内交換機２は、図１に示すように、開催型グループ会議、参加型グループ会議の不参加者に会議参入の自動通知を行うためのＣＯＴ（Central Office Trunk）５と、制御部１１と、制御部１１に接続される会議トランク１０と、制御部１１に接続される回線インタフェース部９と、回線インタフェース部９に接続される複数の基地局３−１、３−２、…３−ｎを有している。複数の基地局３−１、３−２、…３−ｎは、ＰＨＳ等の通信端末４−１、４−２、…４−ｎと通信を行う。状態表示装置１とＣＯＴ５とは、一例として、専用線で接続されている。
【００１１】
制御部１１は、マイクロプロセッサ、およびその周辺回路、メモリで構成され、交換制御部７と入出力制御部８とを含んでおり、会議トランク１０、回線インタフェース部９を制御するプログラムが動作する。また制御部１１のメモリには、どのような種類のインタフェース回線がどのスロットに何回線あるかなどの構成情報（工注情報）をもっている。制御部１１のプログラムはこの工注情報を参照しながら、各回線インタフェース部９を制御する。制御部１１は、通信端末４の位置情報、呼の接続状態を管理する内部テーブル等を有しており、位置情報管理、呼接続制御を行っている。
【００１２】
会議トランク１０は、複数のタイムスロットの音声データ（ＰＣＭ符号のデータ）を合成し、１つの出力ハイウエイのタイムスロットに複数のハイウエイタイムスロットの音声を合成して出力し、会議通話状態を作る。
回線インタフェース部９は、複数の基地局３と制御部１１を接続するためのインタフェース回路である。回線インタフェース部９は、制御信号とハイウエイが接続されており、基地局３との間の制御信号は、発信、着信、など公知技術（ＰＨＳ標準規格  ＳＴＤ−２８）の呼制御信号を伝える。
【００１３】
通信端末４は、一例として、ＰＨＳであり、テンキー、オフフックキー、オンフックキー等を有し、ダイヤル発信、着信ができるものである。さらに、ＰＨＳに付加する高機能として、ワンタッチ（任意のダイヤルを登録可能）のボタンを設け、緊急時の連絡のときに、ワンタッチ操作で、ダイヤル発信する機能を有する。
【００１４】
交換制御部７は、入出力制御部から送られる呼制御信号に基づき、会議トランク１０等の接続制御を行なう。入出力制御部８は、回線インタフェース部との制御信号の入出力を行い、タイムスイッチ接続、会議トランク接続に必要な情報を交換制御部７でやりとりする。この構成で、交換制御部７と入出力制御部８の間のＬＡＮには、呼の接続を制御するための全ての信号が送受信される。
【００１５】
状態表示装置１は、図２に示すように、全体の動作を制御しＰＨＳ構内交換機のキャプチャ信号を解析し通話状態を管理するため制御部１２と、制御部１２に接続されＰＨＳ構内交換機の送受信信号のキャプチャを行なうためのＬＡＮアダプタ１４と、同様に制御部１２に接続され外部と通信を行うためのモデム１５と、制御部１２に接続されマイク１８等から音声データを取り込む音声ボード１６と、キーボードやマウス等の操作部１７と、制御部１２に接続されＰＨＳ構内交換機の通話状態および地図情報、キャパチャデータを格納するためのメモリ１３と、後述するようにＰＨＳ等の通信端末４の接続状態等を画面表示するための画像情報を生成する画像生成部１９と、後述する通信端末４の通話状態を画面表示するための液晶画面等の表示部２０を有している。ここで、モデム１５、音声ボード１６、マイク１８等は、開催型グループ会議、参加型グループ会議の不参加者に会議の参入を促す通知を行うためのである。
【００１６】
状態表示装置１は、交換制御部７と入出力制御部８との間にハブ６を備え、そこから接続する。これにより交換制御部７と入出力制御部８の間で送受信している呼制御信号を全てキャプチャすることができる。すなわち、状態表示装置１は、全ての呼に関して会議トランクの接続制御を行なうための信号（情報）を全て取り込むことができる。この構成をとることで、状態表示装置１は、交換制御部７や入出力制御部８の、プログラムや制御方法に影響を与えることなく、呼制御信号を取り出し、その状態を表示することが可能である。
【００１７】
また、図３はメモリ１３に格納され制御部１２で実行されるプログラムおよびデータベースを示している。すなわち、地図ファイル３０は、状態表示画面に表示する地図情報である。工注情報ファイル３１は、構内交換機の情報である。ゾーン名称定義ファイル３２は、基地局の所在地の情報である。キャプチャファイル３３は、構内交換機内に流れるＬＡＮパケットをキャプチャしたデータである。ＬＡＮドライバプログラム３４は、フリーソフトである。ＵＩ（ユーザ・インタフェース）３５は、表示部２０への表示処理、ＰＣのポインティングデバイスやキーボードからのイベント検出を行うためのソフトウェアである。キャプチャ解析プログラム３６は、キャプチャファイルを読み出し、その電文を解析するプログラムである。位置登録管理３７、転倒警報管理３８、非常発報管理３９、一斉通報管理４０、開催型グループ管理４１、参加型グループ管理４２は、それぞれ、キャプチャ解析プログラム３６が解析した結果に基づいて、各々の内部テーブルを更新する処理である。
【００１８】
また、図４は、開催型グループ管理テーブルから生成する開催型グループ一覧画面の一例を示している。この画面では、『開催者（発信者）』、『接続（参加者）』、『呼出中（不参加者）』等が示されている。図５は、参加型グループ管理テーブルから生成する参加型グループ一覧画面の一例を示している。また、図６は、地図ファイル３０に基づいて、ディスプレイに表示した地図画面の一例を示している。
【００１９】
（動作）
上記のような構成をもつ状態表示装置１は、以下に説明するように、開催型グループ会議の表示処理および会議への参加促進処理を行なう。図７のフローチャートは、開催型グループ会議の地図表示処理の一例を説明する。状態表示装置１の制御部１２は、開催型グループ会議一覧画面で、ユーザが選択したグループ番号を読み取る（ステップＳ１１）。状態表示装置１の制御部１２は、取得したグループ番号と一致する開催型グループ会議のテーブルを取得する（ステップＳ１２）。状態表示装置１の制御部１２は、取得したテーブル内の内線番号と携帯機一覧テーブルの内線番号が一致するテーブルから、基地局のゾーン情報を取得する（ステップＳ１３）。制御部１２は、状態表示画面を開催型グループ会議一覧画面から地図画面に切り替える（ステップＳ１４）。制御部１２は、開催型グループ会議のグループ員の通話状態を判断する（ステップＳ１５）。そのグループ員の状態が、起動者または会議の参加者でなければ、制御部１２は、ステップＳ１７に進み、その端末であるＰＨＳを呼出中であるか判断する（ステップＳ１８）。呼出中であれば、制御部１２は、Ｓ１８に進み地図上に呼出中のマークを表示する（ステップＳ１８）。呼出中でなければ、制御部１２は、このＰＨＳが存在するゾーンに会議不参加のマークを表示する（ステップＳ１９）。これにより、ユーザは、特に、グループ会議に対して各端末が現在どういう状態にあるのかを容易に知ることができるようになる。
【００２０】
次に、図８のフローチャートは、参加型グループ会議の地図表示処理の一例を説明する。制御部１２は、参加型グループ会議一覧画面でユーザが選択したグループ番号を読み取る（ステップＳ２１）。次に制御部１２は、取得したグループ番号と一致する参加型グループ会議のテーブルを取得する（ステップＳ２２）。制御部１２は、取得したテーブル内の内線番号と携帯機一覧テーブルの内線番号が一致するテーブルから基地局のゾーン情報を取得する（ステップＳ２３）。次に、制御部１２は、状態表示画面を参加型グループ会議一覧画面から地図画面に切り替える（ステップＳ２４）。そして、制御部１２は、この地図画面において、参加型グループ会議に参加しているＰＨＳが存在するゾーンに会議参加中のマークを表示する（ステップＳ２５）。これにより、ユーザは、各端末がグループ会議にどう関わっているかが一目で知ることができる。
【００２１】
次に、図９のフローチャートは、グループ会議不参加者への会議を促すために通知するためのダイヤル自動発信処理を説明している。制御部１２は、グループ会議地図画面においてユーザのダブルクリック操作を検出すると、ステップＳ３２に進む（ステップＳ３１）。ここにおいて、制御部１２は、ユーザがダブルクリックした地図上のＰＨＳの内線番号を取得する（ステップＳ３２）。次に、制御部１２は、取得した内線番号のダイヤルをモデム１５に送信する（ステップＳ３３）。そして、制御部１２は、モデム１５からＣＯＴにダイヤルを送信し、ＣＯＴからダイヤルを発信して、会議に不参加のＰＨＳを呼び出す（ステップＳ３４）。
このように、本発明に係る状態表示装置１においては、グループ会議を実施している場合、グループ会議の不参加者が表示部２０に表示され、これを操作部１７で操作することにより、直接、グループ会議の不参加者にグループ会議への参加を促すことが可能となる。
【００２２】
以上記載した様々な実施形態は複数同時に実施することが可能であり、これらの記載により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【符号の説明】
【００２３】
１…状態表示装置、２…構内交換機、３…基地局、４…通信端末（ＰＨＳ等）、５…ＣＯＴ（Central Office Trunk）、６…ハブ、７…交換制御部、８…入出力制御部、９…回路インタフェース部、１０…会議トランク、１１…画像形成部、１２…制御部、１３…メモリ、１４…ＬＡＮアダプタ、１５…モデム、１６…音声ボード、１７…操作部、１８…マイク、３０…地図ファイル、３１…工注情報ファイル、３２…ゾーン名称定義ファイル、３３…キャプチャファイル、３４…ＬＡＮドライバプログラム、３５…ユーザインタフェースプログラム、３６…キャプチャ解析プログラム、３７…位置登録管理、３８…転倒警報管理、３９…非常発報管理、４０…一斉通報管理、４１…開催型グループ管理、４２…参加型グループ管理。
【図１】
2011139212.tif 000003
【図２】
2011139212.tif 000004
【図３】
2011139212.tif 000005
【図４】
2011139212.tif 000006
【図５】
2011139212.tif 000007
【図６】
2011139212.tif 000008
【図７】
2011139212.tif 000009
【図８】
2011139212.tif 000010
【図９】
2011139212.tif 000011